(57)【特許請求の範囲】
【請求項１】
固定部とカバーとクッション部とを有し、
前記固定部は、基部と、前記基部から突出するピンとを有し、
前記カバーは、前記ピンを挿入可能な貫通孔を有する対向板と、前記対向板の裏側の前記貫通孔の周囲から前記ピンの長さ以上の高さで突出する枠部とを有し、前記枠部は前記貫通孔を挟む内側の両側に平行なガイド部を有し、
前記基部は板状であって常態で前記対向板と平行に配置され、常態で前記ピンの位置と前記貫通孔の位置とがずれており、前記基部は前記ガイド部と係合する被ガイド部を有して、前記ピンの位置が前記貫通孔の位置とずれた常態位置と前記ピンが前記貫通孔から突出した突出位置との間で案内されて移動可能に構成されており、
前記クッション部は、変形および復元可能であって、常態で前記ピンを前記貫通孔から離し、圧縮されたとき前記ピンが前記貫通孔から突出可能に、前記ピンの周囲の前記基部と前記対向板の前記裏側とを結合していることを、
特徴とする固定器具。
【請求項２】
前記クッション部はスポンジ材から成ることを、特徴とする請求項１記載の固定器具。
【発明の詳細な説明】
【技術分野】
【０００１】
本発明は、ピンで紙を壁に留めるために使用可能な固定器具に関する。
【背景技術】
【０００２】
従来、画鋲は落ちたとき、ピンを上に向けて落ち、踏まれて足の裏を傷付けることがしばしばであった。落ちたときの安全性を高めた従来の固定器具として、軟質ゴムのリングの内側から画鋲の針部を貫通させて成るものが開示されている（例えば、特許文献１参照）。
【先行技術文献】
【特許文献】
【０００３】
【特許文献１】実用新案登録第３０１６１２４号公報
【発明の概要】
【発明が解決しようとする課題】
【０００４】
特許文献１に記載の固定器具は、落ちた場所によっては、まわりのもので支えられて針部を上に向けた状態になって足裏を傷付ける危険性があり、また、落ちる際に針部が目などを傷付ける危険性があるという課題があった。保管時にも、不用意にピンに触れてケガをするおそれがあるという課題があった。
【０００５】
本発明は、このような課題に着目してなされたもので、落ちたときや落ちる際、保管時などの安全性が高い固定器具を提供することを目的とする。
【課題を解決するための手段】
【０００６】
上記目的を達成するために、本発明に係る固定器具は、固定部とカバーとクッション部とを有し、前記固定部は、基部と、前記基部から突出するピンとを有し、前記カバーは、前記ピンを挿入可能な貫通孔を有する対向板と、前記対向板の裏側の前記貫通孔の周囲から前記ピンの長さ以上の高さで突出する枠部とを有し、前記枠部は前記貫通孔を挟む内側の両側に平行なガイド部を有し、前記基部は板状であって常態で前記対向板と平行に配置され、常態で前記ピンの位置と前記貫通孔の位置とがずれており、前記基部は前記ガイド部と係合する被ガイド部を有して、前記ピンの位置が前記貫通孔の位置とずれた常態位置と前記ピンが前記貫通孔から突出した突出位置との間で案内されて移動可能に構成されており、前記クッション部は、変形および復元可能であって、常態で前記ピンを前記貫通孔から離し、圧縮されたとき前記ピンが前記貫通孔から突出可能に、前記ピンの周囲の前記基部と前記対向板の前記裏側とを結合していることを、特徴とする。
【０００７】
本発明に係る固定器具を使用する際には、カバーの対向板に向けて固定部の基部を押し、クッション部を圧縮させてピンを貫通孔から突出させる。これにより、ピンで紙を壁に留めることができる。基部またはカバーをつまんでピンを壁から引き抜けば、紙を壁から取り外すことができる。引き抜いたピンは、クッション部の復元力により貫通孔から対向板の裏側に戻される。落ちる際には、ピンは貫通孔から裏側に引っ込んでおり、落ちた場所にかかわらず、ピンは貫通孔から引っ込んだ状態を保つ。上方を向いた状態の対向板を踏んだ場合でも、対向板は枠部で支持されるので、ピンが貫通孔から突出するのを防ぐことができる。このため、落ちる際にピンが目などを傷付けるおそれがなく、落ちたときに足裏を傷付けるおそれもなく、落ちたときや落ちる際、保管時などの安全性が高い。
【０００８】
前記基部は板状であって常態で前記対向板と平行に配置され、常態で前記ピンの位置と前記貫通孔の位置とがずれているので、対向板を上方に向けて落ちた状態で、万が一、基部が押されたときでも、ピンの位置は貫通孔の位置からずれているので、ピンが貫通孔から突出するのを防ぐことができ、安全性が高い。
【００１０】
本発明に係る固定器具は、使用の際、カバーの対向板に向けて固定部の基部を押したとき、基部が被ガイド部で枠部のガイド部により突出位置に案内されて、ピンが貫通孔から突出するので、常態でピンの位置と貫通孔の位置とがずれていても、ピンを容易に貫通孔から突出させることができる。ガイド部は溝から成り、被ガイド部は突起から成ることが好ましい。
【００１１】
前記クッション部はスポンジ材から成ることが好ましい。
この場合、クッション部を市販される安価な部材で容易に構成することができる。
【発明の効果】
【００１２】
本発明によれば、落ちたときや落ちる際、保管時などの安全性が高い固定器具を提供することができる。
【図面の簡単な説明】
【００１３】
【図１】本発明の実施の形態の固定器具を示す斜視図である。
【図２】図１に示す固定器具の（Ａ）カバーの斜視図、（Ｂ）固定部の斜視図である。
【図３】図１に示す固定器具の側面図である。
【図４】図１に示す固定器具の（Ａ）常態の縦断面図、（Ｂ）使用時の縦断面図である。
【発明を実施するための形態】
【００１４】
以下、図面に基づき、本発明の実施の形態について説明する。
図１乃至図４は、本発明の実施の形態の固定器具を示している。
図１乃至図３に示すように、固定器具は、固定部１とカバー２とクッション部３とを有している。固定部１は、板状の基部１１とピン１２とを有している。基部１１は、ほぼ長方形状をなし、一方の短辺側に、上方に垂直に立ち上がった縁部１３を有している。ピン１２は、基部１１の、縁部１３のある側と反対側の面の中央付近から垂直に突出して基部１１に固定されている。
【００１５】
カバー２は、対向板２１と枠部２２とを有している。対向板２１は、長方形の短辺に半円形を組み合わせた形状であって、中央付近にピン１２を挿入可能な貫通孔２３を有している。対向板２１の半円形部分は、基部１１の縁部１３の側に配置されている。図４（Ａ）に示すように、基部１１は、常態で対向板２１と平行に配置され、基板１１および対向板２１に垂直な方向から見たとき、常態でピン１２の位置と貫通孔２３の位置とはずれている。
【００１６】
枠部２２は、対向板２１の裏側の貫通孔２３の周囲の、長方形の長辺部分および半円形の円弧部分からピン１２の長さ以上の高さで突出している。枠部２２は、貫通孔２３を挟む内側の両側に、それぞれ平行な１対の溝状のガイド部２４と、それぞれ平行なガイドレール２５とを有している。
【００１７】
各ガイド部２４は、対向板２１に対してそれぞれ同じ角度で傾斜している。各ガイドレール２５は、対向板２１と平行であり、各ガイド部２４の上端に接続されている。各ガイドレール２５は、基部１１の長さより長くなっている。基部１１は、各ガイド部２４および各ガイドレール２５と係合可能な４つの突起状の被ガイド部１４を有している。基部１１は、被ガイド部１４がガイドレール２５と係合するとき、対向板２１と平行にスライド可能であり、被ガイド部１４がガイド部２４と係合するとき、ピン１２の位置が貫通孔２３の位置とずれた常態位置とピン１２が貫通孔２３から突出した突出位置との間で案内されて移動可能となっている。
【００１８】
クッション部３は、２本の直方体状のスポンジ材から成っている。クッション部３は、スポンジ材から成るため、市販される安価な部材で容易に構成することができる。クッション部３は、変形および復元可能であって、常態でピン１２を貫通孔２３から離し、圧縮されたときピン１２が貫通孔２３から突出可能となっている。クッション部３は、ピン１２の周囲にピン１２を挟むよう配置され、基部１１と対向板２１の裏側とに接着されて基部１１と対向板２１とを結合している。
【００１９】
次に、作用について説明する。
固定器具を使用する際には、図４（Ａ）に示す状態から、固定部１の基部１１を、縁部１３に指先を当ててガイドレール２５に沿ってスライドさせる。被ガイド部１４をガイド部２４の位置に位置付けたならば、対向板２１に向けて基部１１を押し、図４（Ｂ）に示すように、クッション部３を圧縮させてピン１２を貫通孔２３から突出させる。常態でピン１２の位置と貫通孔２３の位置とはずれているが、被ガイド部１４がガイド部２４の位置にあるとき、カバー２の対向板２１に向けて固定部１の基部１１を押したとき、基部１１の被ガイド部１４が枠部２２のガイド部２４に対してスライドする。基部１１は被ガイド部１４でガイド部２４により突出位置に案内されて、ピン１２が貫通孔２３から突出するので、ピン１２を容易に貫通孔２３から突出させることができる。これにより、ピン１２で紙を壁に留めることができる。
【００２０】
基部１１またはカバー２をつまんでピン１２を壁から引き抜けば、紙を壁から取り外すことができる。引き抜いたピン１２は、クッション部３の復元力により貫通孔２３から対向板２１の裏側に戻され、収納される。落ちる際には、ピン１２は貫通孔２３から裏側に引っ込んでおり、落ちた場所にかかわらず、ピン１２は貫通孔２３から引っ込んだ状態を保つ。上方を向いた状態の対向板２１を踏んだ場合でも、対向板２１は枠部２２で支持されるので、ピン１２が貫通孔２３から突出するのを防ぐことができる。このため、落ちる際にピン１２が目などを傷付けるおそれがなく、落ちたときに足裏を傷付けるおそれもなく、落ちたときや落ちる際、保管時などの安全性が高い。また、被ガイド部１４がガイドレール２５のガイド部２４からずれた位置に位置付けられているときには、対向板２１に向けて基部１１を押しても、基部１１は対向板２１の側に押し込まれず、ピン１２が貫通孔２３から突出することはないため、安全性が高められている。
【００２１】
固定器具は、対向板２１を上方に向けて落ちた状態で、万が一、基部１１が押されたときでも、ピン１２の位置は貫通孔２３の位置からずれているので、ピン１２が貫通孔２３から突出するのを防ぐことができ、安全性が高い。
【００２２】
なお、ガイド部２４および被ガイド部１４を省略して、より簡単な構造としてもよい。また、常態でピン１２の位置と貫通孔２３の位置とをずらさずに一致させてもよい。カバー２の対向板２１は、長方形に限らず、円形など他の形状であってもよい。また、固定器具は、画鋲程度の小さいものでも、両手で扱うような大きなものであってもよい。固定器具は、基部１１の、ピン１２のある側と反対側の面に絵などを取り付けられて、額縁などを構成していてもよい。
【符号の説明】
【００２３】
１  固定部
２  カバー
３  クッション部
１１  基部
１２  ピン
１３  縁部
１４  被ガイド部
２１  対向板
２２  枠部
２３  貫通孔
２４  ガイド部
２５  ガイドレール
【要約】
【課題】落ちたときや落ちる際、保管時などの安全性が高い固定器具を提供する。
【解決手段】固定部１とカバー２とクッション部３とを有する。固定部１は、基部１１と、基部１１から突出するピン１２とを有する。カバー２は、ピン１２を挿入可能な貫通孔２３を有する対向板２１と、対向板２１の裏側の貫通孔２３の周囲からピン１２の長さ以上の高さで突出する枠部２２とを有する。クッション部３は、変形および復元可能であって、常態でピン１２を貫通孔２３から離し、圧縮されたときピン１２が貫通孔２３から突出可能に、ピン１２の周囲の基部１１と対向板２１の裏側とを結合している。
【選択図】図４【図１】
0005919581.tif 000002
【図２】
0005919581.tif 000003
【図３】
0005919581.tif 000004
【図４】
0005919581.tif 000005